(57)【特許請求の範囲】
【請求項１】
正面板、側面板、背面板、蓋部、該側面板の端部に形成されるサイドフラップ及び蓋部の端部に形成される差込みフラップを有する包装箱であって、
該サイドフラップの側部に係止部を有し、
該差込みフラップに押圧部を有し、
該押圧部は、該差込みフラップ表面側の凹部と該差込みフラップ裏面側の凸部とからなり、且つ該蓋部と該差込みフラップとの折り込み線と平行となる部分と該折り込み線と平行とはならない部分との一体化した組合せからなり、該押圧部の前記折り込み線と平行となる部分が、該係止部と係合可能な部位に配置され、該押圧部の前記折り込み線と平行とはならない部分が、該係止部と係合可能な部位に配置された該押圧部の該折り込み線と平行となる部分よりも該折り込み線側に延伸していないことを特徴とする包装箱。
【請求項２】
前記押圧部の前記折り込み線と平行となる部分の合計長さＷと前記差込みフラップの該折り込み線方向の長さＬとが式（１）の関係を有することを特徴とする請求項１に記載の包装箱。
Ｗ／Ｌ ≦ １      ・・・（１）
【請求項３】
前記蓋部の端部に開閉フラップを有する請求項１又は２に記載の包装箱。
【請求項４】
前記押圧部の前記折り込み線と平行とはならない部分は、前記押圧部の前記折り込み線と平行となる部分の前記差込みフラップの中心側の端部と接している請求項１〜３のいずれかに記載の包装箱。
【発明の詳細な説明】
【技術分野】
【０００１】
本発明は、化粧品等の包装に用いられる包装箱に関する。
【背景技術】
【０００２】
従来、正面板、側面板、背面板、蓋部、該側面板の端部に形成されるサイドフラップ及び蓋部の端部に形成される差込みフラップを有する包装箱において、差込みフラップとサイドフラップとの係合により箱にロック機能を付与することは知られている。
例えば、特許文献１〜６では、差込みフラップの蓋部との折り込み線近傍に切込み部を設けて、この切込み部とサイドフラップとを係合させるロック機能を箱に付与している。
しかしながら、これらの箱はロック強度が強過ぎてしまい、開蓋時にフラップ部分が破損する場合がある。特に、化粧品等の箱は意匠性が高いものが多く、その意匠性を維持させるために開蓋時に箱を破損させないようにすることが望まれている。
これに対し、特許文献７は、差込みフラップの蓋部との折り込み線近傍に凸部又は凹部を設けることによりロック強度を軽減したロック機構を設けることを提案している。しかし、このような箱を組み立てるとき、自動組立機（又は人手）により差込みフラップ部分を折り曲げていくと、蓋部と差込みフラップとの折り込み線で折り曲げられずに、差込みフラップ内の凸部又は凹部で折り曲げられてしまうことがあり、箱を正確に且つ確実に成形することが難しかった。
【先行技術文献】
【特許文献】
【０００３】
【特許文献１】実開昭６３−２１２１２号公報
【特許文献２】実開昭６３−１３４９０９号公報
【特許文献３】実開平６−２５１２１号公報
【特許文献４】特開２０００−３２６９５５号公報
【特許文献５】特開２００１−１９９４３５号公報
【特許文献６】特開２００３−２９１９４３号公報
【特許文献７】実開平６−４２６３２号公報
【発明の概要】
【発明が解決しようとする課題】
【０００４】
本発明は、開蓋し易い適度なロック機能を有し、且つ箱を正確に且つ確実に成形することができる包装箱を提供することを課題とする。
【課題を解決するための手段】
【０００５】
本発明者は、差込みフラップに設ける押圧部の配置及び組合せに着目し、前記課題を達成した。
すなわち、本発明は、正面板、側面板、背面板、蓋部、該側面板の端部に形成されるサイドフラップ及び蓋部の端部に形成される差込みフラップを有する包装箱であって、該サイドフラップの側部に係止部を有し、該差込みフラップに押圧部を有し、該押圧部は、該係止部と係合可能な部位に配置され、該差込みフラップ表面側の凹部と該差込みフラップ裏面側の凸部とからなり、且つ該蓋部と該差込みフラップとの折り込み線と平行となる部分と該折り込み線と平行とはならない部分との組合せからなることを特徴とする包装箱である。
【発明の効果】
【０００６】
本発明により、開蓋し易い適度なロック機能を有し、且つ箱を正確に且つ確実に成形することができる包装箱を提供することができる。
【図面の簡単な説明】
【０００７】
【図１】本発明の包装箱の一実施態様を示す概略斜視図であり、図１（ｂ）は図１（ａ）の蓋部のＡ−Ａ’断面図である。
【図２】本発明の包装箱の他の実施態様を示す概略斜視図である。
【図３】本発明の包装箱の他の実施態様を示す概略斜視図である。
【図４】本発明の包装箱におけるサイドフラップの態様を示す概略平面図である。
【図５】参考例の包装箱における押圧部の他の実施態様を示す蓋部と差込みフラップの概略展開図である。
【図６】参考例の包装箱における押圧部の他の実施態様を示す蓋部と差込みフラップの概略展開図である。
【図７】参考例の包装箱における押圧部の他の実施態様を示す蓋部と差込みフラップの概略展開図である。
【図８】本発明の包装箱における押圧部の他の実施態様を示す蓋部と差込みフラップの概略展開図である。
【図９】本発明の包装箱における押圧部の他の実施態様を示す蓋部と差込みフラップの概略展開図である。
【図１０】参考例の包装箱における押圧部の他の実施態様を示す蓋部と差込みフラップの概略展開図である。
【図１１】参考例の包装箱における押圧部の他の実施態様を示す蓋部と差込みフラップの概略展開図である。
【図１２】参考例の包装箱における押圧部の他の実施態様を示す蓋部と差込みフラップの概略展開図である。
【図１３】参考例の包装箱における押圧部の他の実施態様を示す蓋部と差込みフラップの概略展開図である。
【図１４】参考例の包装箱における押圧部の他の実施態様を示す蓋部と差込みフラップの概略展開図である。
【図１５】参考例の包装箱における押圧部の他の実施態様を示す蓋部と差込みフラップの概略展開図である。
【図１６】参考例の包装箱における押圧部の他の実施態様を示す蓋部と差込みフラップの概略展開図である。
【図１７】参考例の包装箱における押圧部の、蓋部と差込みフラップとの折り込み線と平行となる部分の合計長さＷの算出方法を説明する差込みフラップの概略図である。
【図１８】比較例の包装箱を示す概略斜視図である。
【発明を実施するための形態】
【０００８】
本発明の包装箱は、正面板、側面板、背面板、蓋部、該側面板の端部に形成されるサイドフラップ及び蓋部の端部に形成される差込みフラップを有する包装箱であって、該サイドフラップの側部に係止部を有し、該差込みフラップに押圧部を有し、該押圧部は、該係止部と係合可能な部位に配置され、該差込みフラップ表面側の凹部と該差込みフラップ裏面側の凸部とからなり、且つ該蓋部と該差込みフラップとの折り込み線と平行となる部分と折り込み線と平行とはならない部分との組合せからなることを特徴とする。
本発明において、「折り込み線と平行となる」とは、折り込み線と交わる角度の鋭角側が０〜５°であることをいい、以下「折り込み線と平行となる部分」を平行押圧部と言う。また、「折り込み線と平行とはならない」とは、折り込み線と交わる角度の鋭角側が５°を超え９０°以下であることをいい、好ましくは１０〜９０°であり、更に好ましくは２０〜９０°であり、特に好ましくは３０〜９０°である。以下「折り込み線と平行とはならない部分」を非平行押圧部と言う。
【０００９】
本発明の包装箱の実施の形態について、図面を参照して説明する。図１は、本発明の包装箱の一実施態様を示す概略斜視図である。
図１（ａ）に示す本発明の第１の実施態様である包装箱１０は、正面板１１、側面板１２、背面板１３、蓋部１４、側面板１２の端部に形成されるサイドフラップ１６及び蓋部１４の端部に形成される差込みフラップ１５を有する包装箱であって、サイドフラップ１６の側端部に係止部１６ａを有し、差込みフラップ１５に押圧部２０を２箇所有し、２箇所の押圧部２０はそれぞれ蓋部１４と差込みフラップ１５との折り込み線３０と平行な１本の平行押圧部２０ａと、平行押圧部２０ａと直交し平行押圧部２０ａから折り込み線３０と反対側に延びる２本の非平行押圧部２０ｂとから構成されている。押圧部２０がこのような構成であることにより折り込み線３０と平行となる１本の平行押圧部２０ａがサイドフラップ１６の係止部１６ａと好適に係合し、開蓋し易い適度なロック機能を発揮すると共に、１本の平行押圧部２０ａと２本の非平行押圧部２０ｂとの組合せにより双方の剛性が同時に高まり、折り込み線３０と平行な方向に折れ曲がり難くなるので、自動組立機（又は人手）により差込みフラップ部分を折り曲げる工程において、差込みフラップ１５内の押圧部２０で誤って折り曲げられてしまうことがなく、折り込み線３０で正確に且つ確実に折り曲げ成形されることとなる。同時に、上記の剛性が高くなることにより、押圧部２０の形状が安定して維持されるので、開蓋を繰り返しても、開蓋し易さが持続する適度なロック機能を安定して維持することができる。
図１（ａ）においては、押圧部２０の平行押圧部２０ａは１本、非平行押圧部２０ｂは２本であるが、平行押圧部２０ａ及び非平行押圧部２０ｂはそれぞれ１本のみでもよく、それらの一方又は双方が複数本あってもよく、３本以上の多数本でも良い。
【００１０】
また、押圧部２０は左右２箇所のサイドフラップ１６の係止部１６ａに対応して（すなわち、係合時に係止部１６ａと対向して）２箇所に配置され、それぞれ係止部１６ａと係合可能な部位に配置されている。ここで、係止部１６ａとは、側面板１２側のサイドフラップ１６端部から離隔部１６ｂに至るまでのサイドフラップ１６の正面板側の側端部をいい、離隔部１６ｂとは、サイドフラップ１６の側端部が正面板１１から、差込みフラップ１５の厚みと押圧部の凸部の厚みとの合計量より大きく離隔するサイドフラップ１６の正面板側の側端部を言う。係合可能な部位とは、サイドフラップ１６の係止部１６ａに対応する（すなわち、係合時に係止部１６ａと対向する）差込みフラップ１５の部位を言う。押圧部２０が係止部１６ａと係合する観点から、押圧部２０は折り込み線３０とサイドフラップ１６の厚み以上離隔していることが好ましい。
【００１１】
図１（ｂ）は、図１（ａ）におけるＡ−Ａ’断面を表わす。図１（ｂ）に示すように、押圧部２０は差込みフラップ１５の表面側の凹部と差込みフラップ１５の裏面側の凸部とからなる。差込みフラップ１５の表面側から適当な形状で押圧することにより、同時に凹部と凸部とが一体的に形成される。係止部１６ａは差込みフラップ１５の裏面側にあるので、その係止部１６ａと係合するための凸部が差込みフラップ１５の裏面側に存在することが肝要である。
また、差込みフラップ１５の表面側に形成される凹部は、包装箱１０を開蓋した時の意匠性を高める効果を奏する。
【００１２】
本発明の包装箱は、押圧部２０の平行押圧部２０ａが係止部１６ａと係合可能な部位に配置され、且つ非平行押圧部２０ｂが係止部１６ａと係合しない部位に配置されていることが好ましい。自動組立機（又は人手）により、差込みフラップ１５内の押圧部２０で誤って折り曲げられることがなく、折り込み線３０でさらに正確に且つさらに確実に折り曲げ成形されるようになるからである。
【００１３】
本発明において、押圧部２０の平行押圧部２０ａは、差込みフラップ１５の側端部を始点として内側に伸びると、係止部１６ａとの係合性の観点から好ましい。また、差込みフラップ１５の側端部から少し内側を始点としてさらに内側に延びると、折り込み線３０でより正確に且つより確実に折り曲げ成形されるようにする観点からは好ましい。
また、本発明における押圧部の平行押圧部２０ａは直線のみならず、折れ線及び／又は波状曲線であって、その中心線が折り込み線３０と平行となるものも平行押圧部２０ａに包含される。折れ線及び／又は波状曲線の振幅が、折れ線及び／又は波状曲線の線幅の３倍以下であることが好ましく、２倍以下であることがより好ましく、１．５倍以下であることが特に好ましい。なお、振幅が線幅と等しい場合は直線となる。
【００１４】
本発明において、押圧部２０の非平行押圧部２０ｂは、直線に限定されず、曲線であっても良い。曲線であれば、「折り込み線と平行とはならない」部分を有するからである。なお、「曲線と折り込み線と交わる角度」とは、押圧部２０の「折り込み線と平行となる」部分に近接する側の曲線の端部における接線と折り込み線と交わる角度の鋭角側の角度を言う。
【００１５】
図２は、本発明の包装箱１０の他の実施態様を示す概略斜視図である。図２においては、押圧部２０は、２本の平行押圧部２０ａとそれらに垂直な３本の非平行押圧部２０ｂとから構成されている。２本の平行押圧部２０ａの内、折り込み線３０側の１本がサイドフラップ１６の係止部１６ａと好適に係合し、開蓋し易い適度なロック機能を発揮する。また、２本の平行押圧部２０ａと３本の非平行押圧部２０ｂとの組合せによって、より好適に押圧部２０で誤って折り曲げられることを防止している。また、３本の非平行押圧部２０ｂを有するので、差込みフラップ１５の折り込み線３０と垂直な方向の剛性がさらに高まり、平行押圧部２０ａでの折れ曲がりが発生し難くなっている。
図２に示すように、本発明の包装箱１０において、蓋部１４の端部（差込みフラップ１６側の端部）に開閉フラップ４０を設けると、開閉フラップ４０を指で持ち上げることにより簡単に開蓋でき、開蓋が一動作で簡便となるので、本発明の簡便なロック機構の利便性がさらに高まることとなる。
開閉フラップ４０は、図２に示すように差込みフラップ１５に切り込みを入れるだけで簡単に作製できる。
【００１６】
図３は、本発明の包装箱１０の他の実施態様を示す概略斜視図である。図３においては、押圧部２０は１つの連続した線で構成されているが、２箇所のサイドフラップ１６の係止部１６ａの双方と係合する平行押圧部２０ａを押圧部２０の両端に設け、２つの非平行押圧部２０ｂが接続された形状となっている。このように、正面板１１の幅が狭く、包装箱１０の水平断面が正方形に近い場合は、押圧部２０を２箇所の係止部１６ａに合わせて２箇所設ける必要がなく、連続した１つの形状を有していても良い。図３では、押圧部２０はＶ字形状に形成されているが、平行押圧部２０ａと非平行押圧部２０ｂを有する限りにおいて他の文字又は図形であっても良い。いずれも包装箱１０を開蓋した時に、文字又は図形がポップ・アップするため、意外性のある意匠効果を奏する。
【００１７】
図４は、本発明の包装箱におけるサイドフラップの態様を示す概略平面図である。図４（ａ）においては、正面板１１と側面板１２との境界部位（サイドフラップ１６の正面板側の側端部）から正面板１１と１〜５°程度の鋭角で係止部１６ａが延びている。この係止部１６ａは途中でさらに正面板１１と離隔し、離隔部１６ｂを構成している。
図４（ｂ）においては、正面板１１と側面板１２との境界部位から離隔部１６ｂまでの部位に、正面板１１と一定の距離（差込みフラップ１６の厚み程度）を保って係止部１６ａが形成されている。
図４（ｃ）においては、正面板１１と側面板１２との境界部位と係止部１６ａとの間に、さらに第２離隔部１６ｂ’が形成されている。
いずれの場合も、差込みフラップが容易に包装箱１０内に差し込まれ、且つ押圧部２０の凸部と係合し得る程度に、正面板１１と係止部１６ａとが離隔していれば良い。
また、必要に応じて、背面板１３と、サイドフラップ１６の背面板側の側端部とが１〜１０°程度の鋭角で除々に離隔していても良い。
【００１８】
押圧部２０の平行押圧部２０ａと非平行押圧部２０ｂの配置については、以下の様な関係がある。
平行押圧部２０ａと係止部１６ａとの係合を好適にする観点から、非平行押圧部２０ｂは離隔部１６ｂ又は第２離隔部１６ｂ’の位置に存在することが望ましく、又は平行押圧部２０ａが係止部１６ａと係合する範囲において非平行押圧部２０ｂが平行押圧部２０ａよりも折り込み線３０に近い側まで伸びていない方が望ましい。これは係止部１６ａと非平行押圧部２０ｂが接触することにより平行押圧部２０ａと係止部１６ａの係合が阻害されることになるからである。また確実な箱の形成の観点からすると、非平行押圧部２０ｂは平行押圧部２０ａよりも折り込み線３０に近い側を始点とし、平行押圧部２０ａを越えた長さを有する事が望ましい。これは非平行押圧部２０ｂが平行押圧部２０ａを横切ることにより、折り込み線３０の平行とはならない方向の剛性が増すためである。これら２つの観点を満足するために後述する図５〜７、１５の様に非平行押圧部２０ｂが箱の内側（離隔部１６ｂに対応する位置）に形成され、且つ非平行押圧部２０ｂが平行押圧部２０ａよりも折り込み線３０に近い側まで伸びた押圧部２０が形成されていることが好ましい。一方、後述する図１０〜１４、１６の様に差込みフラップの側端部側に平行押圧部２０ａよりも折り込み線３０側まで延びた非平行押圧部２０ｂを有する場合には、非平行押圧部２０ｂに対応する位置に第２離隔部１６ｂ’を設ければ良い。
【００１９】
図５〜１６は、包装箱１０における押圧部２０の他の実施態様を示す蓋部と差込みフラップの概略展開図である。図５〜９及び１５は、前記押圧部２０の平行押圧部２０ａが係止部１６ａと係合可能な部位に配置され、且つ押圧部２０の非平行押圧部２０ｂが係止部１６ａと係合しない部位に配置されている（例えば、離隔部１６ｂに対応している）場合を示す。
【００２０】
図５に示す押圧部２０は、それぞれ、差込みフラップ１５の側端部の少し内側の始点から延びる１本の平行押圧部２０ａと、平行押圧部２０ａと垂直な１本の非平行押圧部２０ｂとの組合せからなる。ここで、平行押圧部２０ａは係止部１６ａに対応し（すなわち、係合時に係止部１６ａと対向し）、非平行押圧部２０ｂは離隔部１６ｂに対応している（すなわち、係合時に離隔部１６ｂと対向している）ので、開蓋し易い適度なロック機能と箱を正確に且つ確実に成形する機能とが高度に両立している。
【００２１】
図６に示す押圧部２０は、それぞれ、差込みフラップ１５の側端部の少し内側の始点から延びる１本の平行押圧部２０ａと、その平行押圧部２０ａと直交する３本の非平行押圧部２０ｂとの組合せからなる。３本の非平行押圧部２０ｂはいずれも離隔部１６ｂに対応しており、箱を正確に且つ確実に成形する機能がさらに高まっている。
【００２２】
図７に示す押圧部２０は、差込みフラップ１５の側端部の少し内側の始点から延びる１本の平行押圧部２０ａと、折り込み線３０と約６０°の角度をなして平行押圧部２０ａと交差する１本の非平行押圧部２０ｂとの組合せからなる。非平行押圧部２０ｂは、離隔部１６ｂに対応している。
【００２３】
図８に示す押圧部２０は、差込みフラップ１５の側端部の少し内側の始点から延びる１本の平行押圧部２０ａと、平行押圧部２０ａの始点から平行押圧部２０ａと直交して延びる１本の非平行押圧部２０ｂとの組合せからなる。非平行押圧部２０ｂは、離隔部１６ｂに対応していないが、平行押圧部２０ａよりも折り込み線３０側に延びていないため、平行押圧部２０ａと係止部１６ａとの係合に影響しない。
【００２４】
図９に示す押圧部２０は、差込みフラップ１５の側端部の少し内側の始点から延びる１本の平行押圧部２０ａと、平行押圧部２０ａの始点及び終点からそれぞれ平行押圧部２０ａと直交して延びる２本の非平行押圧部２０ｂとの組合せからなる。非平行押圧部２０ｂは、離隔部１６ｂに対応していないが、平行押圧部２０ａよりも折り込み線３０側に延びていないため、平行押圧部２０ａと係止部１６ａとの係合に影響しない。
【００２５】
図１０〜１４及び１６においては、サイドフラップ１６の係止部１６ａと離隔部１６ｂと必要に応じて設けられる第２離隔部１６ｂ' との配置を係止部１６ａと押圧部２０の平行押圧部２０ａとが係合するように調整すれば良い。これにより、開蓋し易い適度なロック機能と箱を正確に且つ確実に成形する機能とを好適に発揮することができる。
【００２６】
図１０に示す押圧部２０は、差込みフラップ１５の側端部の少し内側の始点から延びる１本の平行押圧部２０ａと、平行押圧部２０ａと直交する１本の非平行押圧部２０ｂとの組合せからなる。
図１１に示す押圧部２０は、差込みフラップ１５の側端部の少し内側の始点から延びる１本の平行押圧部２０ａと、その平行押圧部２０ａと直交し且つ平行押圧部２０ａの始点を通る１本の非平行押圧部２０ｂとの組合せからなる。
図１２に示す押圧部２０は、差込みフラップ１５の側端部の少し内側の始点から延びる１本の平行押圧部２０ａと、その平行押圧部２０ａと直交し且つ平行押圧部２０ａの始点を通る直線及び平行押圧部２０ａと直交し且つ平行押圧部２０ａの終点を通る直線の２本の非平行押圧部２０ｂとの組合せからなる。
【００２７】
図１３に示す押圧部２０は、差込みフラップ１５の側端部の少し内側の始点から延びる１本の平行押圧部２０ａと、折り込み線３０と約６０°の角度をなして平行押圧部２０ａと交差する１本の非平行押圧部２０ｂとの組合せからなる。
図１4に示す押圧部２０は、差込みフラップ１５の側端部の少し内側の始点から延びる１本の平行押圧部２０ａと、折り込み線３０と約６０°の角度をなして平行押圧部２０ａと交差する２本の非平行押圧部２０ｂとの組合せからなる。
【００２８】
図１５に示す押圧部２０は、図５に示す押圧部２０の変形例であり、平行押圧部２０ａと非平行押圧部２０ｂとが離隔している。
図１６に示す押圧部２０は、図１１に示す押圧部２０の変形例であり、同様に平行押圧部２０ａと非平行押圧部２０ｂとが離隔している。
【００２９】
図１７は、包装箱１０の押圧部２０の平行押圧部２０ａの合計長さＷの算出方法を説明する差込みフラップ１５の概略図である。図１７に示すように、押圧部２０の平行押圧部２０ａの合計長さＷは、押圧部２０が２箇所ある場合、それぞれの平行押圧部２０ａの長さＷ１及びＷ２の合計で表わされる。すなわち、Ｗ＝Ｗ１＋Ｗ２である。ここで、図２の例の様に、係止部１６ａ  １箇所当たり押圧部２０の平行押圧部２０ａを複数本の有する場合は、係止部１６ａと係合する側（図２では折り込み線３０に近い側）の平行押圧部２０ａの長さの合計長さが用いられる。差込みフラップ１５の折り込み線３０と平行となる方向の長さをＬとすると、合計長さＷと長さＬとが以下の式（１）の関係を有することが好ましく、以下の式（２）の関係を有することがより好ましく、以下の式（３）の関係を有することが特に好ましい。
Ｗ／Ｌ ≦ １              ・・・（１）
Ｗ／Ｌ ≦ １／２          ・・・（２）
Ｗ／Ｌ ≦ １／３            ・・（３）
（Ｌ／Ｗ）が１以下であれば、折り込み線３０に比べ同等か短くなるため成形不具合のリスクが低減するので好ましく、（Ｌ／Ｗ）が１／２以下であれば、同様な理由でより好ましい。
【００３０】
以上述べた図１〜３及び５〜１６に示す押圧部２０は、いずれも、押圧部２０が、平行押圧部２０ａと非平行押圧部２０ｂとの組合せからなり、さらに押圧部２０の平行押圧部２０ａが係止部１６ａと係合可能な部位に配置され、且つ押圧部２０の非平行押圧部２０ｂが係止部１６ａと係合しない部位に配置されているので、平行押圧部２０ａが係止部１６ａと係合し開蓋し易い適度なロック機能を発揮すると共に、平行押圧部２０ａと非平行押圧部２０ｂとの組合せにより、差込みフラップ１５の折り込み線３０と垂直な方向の剛性が高まり、折り込み線３０と平行な方向に折れ曲がり難くなっており好ましい。
また、図１〜３及び５〜１６に示す押圧部２０は、いずれも、構成する直線又はその端部が折り込み線３０からサイドフラップ１６の厚み程度又はそれ以上離隔しているので、ロック機構が確実に機能し、好ましい。
【００３１】
図１８は、比較例の包装箱を示す概略斜視図である。図１８に示すように比較例の包装箱５０は、正面板５１、側面板５２、背面板（図示しない）、蓋部５４、側面板５２の端部に形成されるサイドフラップ５６及び蓋部５４の端部に形成される差込みフラップ５５を有しサイドフラップ５６の側端部に係止部５６ａを有するが、差込みフラップ５５に切り欠き部６０を有するので、開蓋時に係止部５６ａと切り欠き部６０との係合がうまく外れず、係合したまま開蓋しようとすると差込みフラップ５５及び／又はサイドフラップ５６を破損することがあり、意匠性をも意図した化粧品等の包装箱の再利用を阻害する恐れがある。
【００３２】
本発明の包装箱の材質としては、例えば、板紙、クラフト紙等の包装用紙、合成紙、プラスチックシート等が挙げられる。プラスチックシートとしては、例えばポリエチレンテレフタレートもしくはその共重合体、ポリプロピレンもしくはその共重合体、ポリスチレンもしくはその共重合体、あるいはこれらの積層体等が挙げられる。本発明の効果の発揮しやすさ、容易な加工性等を考慮すると、板紙、クラフト紙等の包装用紙、合成紙等の紙が好ましい。
また、包装箱の美感を高めるため、金属、金属酸化物、酸化ケイ素等による表面蒸着、金属箔等の積層、樹脂等の表面コーテイングなどにより包装箱表面を加飾することが好ましい。
【産業上の利用可能性】
【００３３】
本発明の包装箱は、各種筒状体、多角柱体、瓶体等の容器に入った商品であって、口紅、香水、マニキュア等の化粧品やトリートメント、ヘアカラー、ヘアマニキュア等のヘアケア商品等を収容する包装箱として好適に用いられる。
【符号の説明】
【００３４】
１０    本発明の包装箱
１１    正面板
１２    側面板
１３    背面板
１４    蓋部
１５    差込みフラップ
１６    サイドフラップ
１６ａ    係止部
１６ｂ    離隔部
１６ｂ’    第２離隔部
２０    押圧部
２０ａ  平行押圧部
２０ｂ  非平行押圧部
３０    蓋部と差込みフラップとの折り込み線
４０    開閉フラップ
５０    比較例の包装箱
５１    正面板
５２    側面板
５４    蓋部
５５    差込みフラップ
５６    サイドフラップ
５６ａ    係止部
６０    切り欠き部
【図１】
0005642952.tif 000002
【図２】
0005642952.tif 000003
【図３】
0005642952.tif 000004
【図４】
0005642952.tif 000005
【図５】
0005642952.tif 000006
【図６】
0005642952.tif 000007
【図７】
0005642952.tif 000008
【図８】
0005642952.tif 000009
【図９】
0005642952.tif 000010
【図１０】
0005642952.tif 000011
【図１１】
0005642952.tif 000012
【図１２】
0005642952.tif 000013
【図１３】
0005642952.tif 000014
【図１４】
0005642952.tif 000015
【図１５】
0005642952.tif 000016
【図１６】
0005642952.tif 000017
【図１７】
0005642952.tif 000018
【図１８】
0005642952.tif 000019